(57)【要約】【課題】消費電力及びコストの抑制と利便性を両立できる電子機器を提供する。【解決手段】制御部４３は、記憶部４５からテーブルを読み出して、リモコン受信部３１や操作部３２で設定された動作モードに応じてチューナー部３３〜ＨＤＭＩ部３７の各部を動作状態又は待機状態に切り替える。各動作モードにおいて、チューナー部３３〜ＨＤＭＩ部３７の消費電流は、レギュレータ２３の定格電流より小さい閾値電流以下に設定されている。テレビ受像機１の設置環境の変化等でチューナー部３３〜ＨＤＭＩ部３７の消費電流が増大した場合は、制御部４３はテーブルに基づいてチューナー部３３〜ＨＤＭＩ部３７のうち待機状態の部を順番に停止状態に切り替える。また、消費電流が閾値電流以下にならない場合は、チューナー部３３〜ＨＤＭＩ部３７の動作状態の部のうち、現在選択中の動作モードの動作に影響しない部を待機状態に、さらには停止状態に切り替える。【選択図】図３
2011003062.tif 000002
【特許請求の範囲】
【請求項１】
複数の動作モードの中から１つの動作モードを選択する選択部を備えた電子機器において、
異なる処理を実行する複数の処理部と、
各処理部について、動作モード毎に、処理を実行させる動作状態、またはその一部に対して電流を供給しない待機状態のいずれに設定するかを示す設定情報を記憶する記憶部と、
定格電流が動作モード毎に、各処理部に供給する合計電流よりも大きいレギュレータと、
前記選択部で選択された動作モードに対応する前記設定情報に基づき各処理部を動作状態または待機状態に設定する制御部と、
を備えたことを特徴とする電子機器。
【請求項２】
前記レギュレータが各処理部に供給している前記合計電流を測定する測定部を備え、
前記設定情報には、前記動作モード毎に、前記レギュレータが供給している前記合計電流が閾値を超えた際に、停止状態にする処理部を示す情報が含まれ、
前記制御部は、前記測定部の測定電流が前記閾値を超えた際に、現在の動作モードに対応する前記設定情報に基づいて、停止状態にする処理部を決定する請求項１に記載の電子機器。
【請求項３】
前記選択部は、選択された動作モードに応じてリモコンから出力された信号を受信するリモコン受信部と、動作モードの選択を受け付ける操作部と、を備え、
前記制御部は、前記リモコン受信部及び前記操作部が動作状態のときに、前記測定部が測定する電流が前記閾値を超えると、前記リモコン受信部または前記操作部の一方を待機状態または停止状態にする請求項２に記載の電子機器。
【請求項４】
前記レギュレータに並列接続された補助レギュレータを備え、
前記制御部は、前記測定部が測定する電流が前記レギュレータの定格を超えると、前記補助レギュレータを起動させる請求項１に記載の電子機器。
【発明の詳細な説明】
【技術分野】
【０００１】
本発明は、動作モードに応じて複数の負荷の状態を切り替えて電力消費を抑制する電子機器に関する。
【背景技術】
【０００２】
従来、テレビ受像機やオーディオ機器などの電子機器１０１では、装置内に設けられた複数の回路１２１，１２３，１２５，１２７に対して、１つのレギュレータ１１０から電流を供給するように構成していた。また、動作に応じて電源ラインに設けたスイッチ１１１，１１３，１１５で電源ラインを遮断して電流供給を停止することで、消費電力を低減する発明が開示されている（特許文献１参照）。
【先行技術文献】
【特許文献】
【０００３】
【特許文献１】特開平８−  ４５２５４号公報
【発明の概要】
【発明が解決しようとする課題】
【０００４】
しかし、特許文献１に記載の発明のように使用しない回路の電源ラインを遮断すると、装置の動作を切り替えたときに、電源ラインを遮断した回路の起動に時間がかかり、装置の動作をすぐに変更できないという問題があった。
【０００５】
そこで、本発明は、消費電力及びコストの抑制と、利便性と、を両立することができる電子機器を提供することを目的とする。
【課題を解決するための手段】
【０００６】
この発明の電子機器は、異なる処理を実行する複数の処理部について、動作モード毎に、処理を実行させる動作状態、またはその一部に対して電流を供給しない待機状態のいずれに設定するかを示す設定情報が記憶部で記憶されている。制御部は、選択部で選択された動作モードに対応する設定情報に基づき、各処理部を動作状態または待機状態に切り替える。また、レギュレータは、定格電流が、動作モード毎に、各処理部に供給する合計電流よりも大きいものが選定されている。このように、制御部は、選択された動作モードに応じて、各処理部を動作状態または待機状態に設定するので、レギュレータから各処理部に供給する合計電流は、常にレギュレータの定格電流の範囲内にすることができる。また、処理部が待機状態のときには、その一部に対して電流が供給されないので、動作状態のときよりも消費電流が少なく、停止状態のときよりも短時間で動作状態にすることができる。そのため、選択された動作モードを実行するのに不要な処理部を、待機状態に切り替えるように設定した設定情報を記憶させることで、動作モードが変更された場合に、すぐに待機状態の処理部を動作状態に設定することができ、装置の利便性を損なうことがない。また、どの動作モードであっても、常に消費電流を抑制することができる。
【０００７】
上記の構成において、電子機器において、動作モードを実行中に、電流を多く消費する特定の処理を行う場合に、レギュレータが各処理部に供給する合計電流が閾値を超えた際には、制御部は、現在の動作モードに対応する設定情報に基づいて、停止状態にする処理部を決定する。制御部がこのような決定をして、例えば現在待機状態の処理部を停止状態にすると、この処理部で消費していた電流が０になるので、その分の電流を現在動作状態でさらに電流が必要な処理部で消費させることが可能になる。このようすると、レギュレータから供給する電流を増加させることなく、動作状態の処理部に特定の処理を実行させることができる。したがって、消費電流の抑制と利便性を両立できる。
【０００８】
また、上記の構成において、待機状態の処理部を停止状態に切り替えても、処理部に供給する電流が閾値電流以下にならない場合には、制御部は、選択部であるリモコン受信部または操作部の一方を動作モードの維持に影響の無い動作状態の処理部を待機状態かまたは停止状態にする。電子機器の動作モードを選択する選択部として、リモコン及びリモコン受信部と、本体に設けられた操作部と、の両方あると便利であるが、一方だけでも動作モードの選択は可能である。リモコン受信部と操作部の一方を動作状態から待機状態や停止状態に切り替えることで、選択部で消費していた電流を動作状態の処理部が特定の処理を実行するために消費することが可能となる。したがって、レギュレータの負荷を増大させることがなく、消費電流の抑制と利便性を両立できる。なお、閾値電流は、レギュレータの定格電流よりも小さな値である。例えば、定格電流の８割〜９割に設定すると良い。
【０００９】
また、上記の構成において、処理部の消費電流が、レギュレータの定格電流を超える場合には、制御部が補助レギュレータを起動して、補助レギュレータから特定の処理を行う処理部に対して電流を供給するようにしても良い。この構成では、複数の処理部に供給する電流を、２つのレギュレータで分担するので、各レギュレータが定格を超えることなく、処理部に電流を供給させることができる。これにより、レギュレータの劣化や破損を防止できる。
【発明の効果】
【００１０】
この発明によれば、消費電力及びコストの抑制と、装置の利便性と、を両立することができる。
【図面の簡単な説明】
【００１１】
【図１】従来の電子機器の電流を供給する構成を示すブロック図である。
【図２】本発明の実施形態に係る電子機器の一例であるテレビ受像機の概略構成を示すブロック図である。
【図３】処理部へ電流を供給する構成を示すブロック図である。
【図４】テレビ受像機の電流供給処理を説明するためのフローチャートである。
【図５】テレビ受像機の動作モード毎の各処理部の状態と消費電流を示す表である。
【図６】処理部へ電流を供給する図３とは別の構成を示すブロック図である。
【発明を実施するための形態】
【００１２】
本発明は、処理部（負荷回路）への電流供給を制御するマイコンを備え、本体やリモコンに設けたキーを操作して動作モードを選択することが可能な電子機器に適用可能である。例えば、テレビ受像機や録画装置やセットトップボックスなどが好適である。
【００１３】
以下の説明では、電子機器の一例としてテレビ受像機について説明する。まず、テレビ受像機１の概略構成を説明する。図２に示すように、テレビ受像機１は、電源部２１、リモコン受信部３１、操作部３２、チューナー部３３、Ａ／Ｄコンバータ部３５、ビデオセレクタ部３６、ＨＤＭＩ部３７、表示部３８、音声出力部３９、ＤＳＰ４１、制御部（ＣＰＵ）４３、及び記憶部４５を備えている。
【００１４】
電源部２１は、電流測定部２２とレギュレータ（図ではＲＥＧと表記）２３を備えている。
【００１５】
リモコン受信部３１、操作部３２、チューナー部３３、Ａ／Ｄコンバータ部３５、ビデオセレクタ部３６、及びＨＤＭＩ部３７は、それぞれ、制御部４３からの制御信号に応じて、動作状態、待機状態、または停止状態に切り替える電源制御部３１Ａ〜３７Ａを備えている。動作状態は、その部に処理を実行させる状態である。待機状態は、その部の一部に対して電流を供給しないようにして、消費電流を抑制しつつ、動作状態に短時間で切り替えることができる状態である。停止状態は、その部への電流供給を停止して、動作を停止させた状態である。
【００１６】
ビデオセレクタ部３６には、ビデオプレーヤ１２とビデオプレーヤ１３が接続されている。ビデオセレクタ部３６は、リモコン１１または操作部３２の切り替え操作に応じてビデオプレーヤ１２またはビデオプレーヤ１３が出力したアナログ映像信号とアナログ音声信号をＡ／Ｄコンバータ３５に出力する。
【００１７】
ＨＤＭＩ部３７にはＤＶＤプレーヤ１４が接続されている。
【００１８】
図３に示すように、レギュレータ２３は、電源ライン２９を介して、チューナー部３３〜ＨＤＭＩ部３７のそれぞれに接続されており、リモコン受信部３１〜ＨＤＭＩ部３７の各部に電流を供給する。また、制御部４３は、バスライン４０を介してリモコン受信部３１〜ＨＤＭＩ部３７のそれぞれに接続されており、制御部４３からの制御信号に応じて、リモコン受信部３１〜ＨＤＭＩ部３７はそれぞれ動作状態、待機状態、または停止状態に切り替わる。
【００１９】
なお、バスライン４０は、例えばＩ２Ｃバス等のような制御信号を送受信できるバスラインが好適である。なお、図３には示していないが、表示部３８と音声出力部３９は、別のレギュレータから電流が供給されている。
【００２０】
リモコン受信部３１〜ＨＤＭＩ部３７の各部の動作時の消費電流と待機時の消費電流は、一例として以下の通りである。リモコン受信部３１〜ＨＤＭＩ部３７の各部の停止時の消費電流は０ｍＡである。
リモコン受信部３１      ：動作時  ５０ｍＡ  待機時  ５ｍＡ
操作部３２              ：動作時  ３０ｍＡ  待機時  ５ｍＡ
チューナー部３３        ：動作時２５０ｍＡ  待機時  ５ｍＡ
Ａ／Ｄコンバータ部３５  ：動作時２００ｍＡ  待機時  ５ｍＡ
ビデオセレクタ部３６    ：動作時１００ｍＡ  待機時  ５ｍＡ
ＨＤＭＩ部３７          ：動作時２５０ｍＡ  待機時１０ｍＡ
電流測定部２２は、センサ２２Ａでレギュレータ２３の出力電流を測定し、測定結果を制御部４３に出力する。
【００２１】
制御部４３は、リモコン１１や操作部３２が操作されて動作モードが選択されると、リモコン受信部３１や操作部３２（選択部に相当）から出力された動作モードの選択信号に対応する情報を、記憶部４５が記憶するテーブルから読み出す。そして、リモコン受信部３１や操作部３２から出力された動作モードに応じて、リモコン受信部３１〜ＨＤＭＩ部３７の各部を動作状態または待機状態に切り替える。レギュレータ２３の定格電流は、動作モード毎に、リモコン受信部３１〜ＨＤＭＩ部３７のそれぞれに供給する合計電流よりも大きい値に設定されている。
【００２２】
テレビ受像機１では、チューナー部３３〜ＨＤＭＩ部３７（処理部に相当）のいずれかが動作状態のときに、電流を多く消費する特定の処理を行う場合には、レギュレータ２３から必要な電流をそのまま各部に供給すると、リモコン受信部３１〜ＨＤＭＩ部３７の各部が消費する電流が定格電流に近くなる。この状態が長時間続くと、レギュレータ２３が劣化するおそれがある。
【００２３】
そこで、本発明では、チューナー部３３〜ＨＤＭＩ部３７のいずれかが動作状態のときに、電流を多く消費する特定の処理を行う場合には、制御部４３が、レギュレータ２３の出力電流が閾値電流以下であるかを確認する。そして、閾値を超えた場合には、記憶部４５のテーブルから読み出した情報に基づいて、チューナー部３３〜ＨＤＭＩ部３７のうち待機状態の部を順番に停止状態に切り替える。また、この切り替えを行ってもレギュレータ２３の出力電流の合計が閾値電流以下にならない場合には、リモコン受信部３１または操作部３２を待機状態に、さらには停止状態に切り替える。これにより、リモコン受信部３１〜ＨＤＭＩ部３７に対してレギュレータ２３から供給する電流を抑制する。
【００２４】
なお、閾値電流は、レギュレータの定格電流よりも小さな値である。例えば、定格電流の８割〜９割に設定すると良い。
【００２５】
なお、リモコン受信部３１〜ＨＤＭＩ部３７の各部において、部品の故障などにより消費電流が増大した場合には、各部はそれぞれ異常な状態を停止する保護回路を備えており、レギュレータ２３が出力する電流が定格電流を超えないよう構成されている。
【００２６】
記憶部４５が記憶するテーブルには、リモコン受信部３１〜ＨＤＭＩ部３７について、動作モード毎に、動作状態、または待機状態のいずれに設定するかを示す設定情報や、待機状態の部を停止状態に切り替える順番等が記録されている。
【００２７】
図４に示すように、制御部４３は、ユーザがテレビ受像機１のリモコン１１や操作部３２の電源スイッチにより電源をオンにする操作を行ったことを検出すると（Ｓ１：Ｙ）、記憶部４５から前回の電源オフ操作時の動作モードを読み出す。そして、制御部４３は、バスライン４０を介してチューナー部３３〜ＨＤＭＩ部３７のそれぞれを、動作モードに応じて動作状態または待機状態に切り替える（Ｓ２）。
【００２８】
テレビ受像機１では、リモコン１１や操作部３２の操作により選択できる動作モードは、一例として、（１）テレビ放送視聴モード、（２）ＨＤＭＩ機器視聴モード、及び（３）アナログ機器視聴モードの３つである。また、レギュレータ２３がリモコン受信部３１〜ＨＤＭＩ部３７に供給する電流の閾値（閾値電流）は、一例として４００ｍＡであり、レギュレータ２３の定格電流を５００ｍＡとする。
（１）テレビ放送視聴モードの場合
制御部は、図５の（１）に示すように、リモコン受信部３１、操作部３２、及びチューナー部３３を動作状態に、Ａ／Ｄコンバータ部３５、ビデオセレクタ部３６、及びＨＤＭＩ部３７を待機状態に切り替える。また、制御部４３は、チューナー部３３にアンテナ３３Ｎを介してデジタルテレビ放送波を受信させ、チューナー部３３が出力した番組コンテンツの信号をＤＳＰ４１にデコード処理させ、番組コンテンツの映像を表示部３８に表示させ、音声を音声出力部３９から放音させる。
【００２９】
（２）ＨＤＭＩ機器視聴モードの場合
制御部４３は、図５の（２）に示すように、リモコン受信部３１、操作部３２、及びＨＤＭＩ部３７を動作状態に、チューナー部３３、Ａ／Ｄコンバータ部３５、及びビデオセレクタ部３６を待機状態に切り替える。また、制御部４３は、ＨＤＭＩ部３７を介してＤＶＤプレーヤ１４から入力されたコンテンツの信号を、ＤＳＰ４１でデコード処理させて、コンテンツの映像を表示部３８に表示させ、音声を音声出力部３９から放音させる。
【００３０】
（３）アナログ機器視聴モードの場合
制御部４３は、図５の（２）に示すように、リモコン受信部３１、操作部３２、Ａ／Ｄコンバータ部３５、及びビデオセレクタ部３６を動作状態に、チューナー部３３及びＨＤＭＩ部３７を待機状態に切り替える。また、制御部４３は、例えばビデオプレーヤ１２が選択されている場合、ビデオプレーヤ１２が出力したコンテンツの信号をＡ／Ｄコンバータ３５でデジタル化させる。そして、Ａ／Ｄコンバータ３５が出力したデジタル化されたコンテンツの信号を、ＤＳＰ４１で処理させて、コンテンツの映像を表示部３８に表示させ、音声を音声出力部３９から放音させる。
【００３１】
続いて、制御部４３は、電流測定部２２が出力する電流の測定値を確認する（Ｓ３）。制御部４３は、電流の測定値、すなわち、レギュレータ２３がリモコン受信部３１〜ＨＤＭＩ部３７へ供給する電流が、閾値電流以下であるか否かを確認する（Ｓ４）。
【００３２】
制御部４３は、電流の測定値が閾値電流を超えている場合（Ｓ４：Ｎ）、リモコン受信部３１〜ＨＤＭＩ部３７のうち状態を切り替え可能な部を全て切り替えていなければ（Ｓ５：Ｎ）、記憶部４５からテーブルを読み出す。そして、現在選択されている動作モードに応じて、チューナー部３３〜ＨＤＭＩ部３７のうち待機中のものを停止状態に切り替える（Ｓ６）。制御部４３は、電流測定部２２が出力する電流の測定値を再度確認し（Ｓ３）、電流の測定値が閾値電流を超えている場合には（Ｓ４：Ｎ）、ステップＳ５とステップＳ６の処理を行い、電流の測定値が閾値電流以下になるまで、ステップＳ３〜ステップＳ６の処理を繰り返す。
【００３３】
（１）テレビ放送視聴モードの場合
制御部４３は、レギュレータ２３がリモコン受信部３１〜ＨＤＭＩ部３７に供給する電流が閾値電流以下になるまで、図５の（１−１）〜（１−５）に示す順番で、処理を行う。すなわち、チューナー部３３〜ＨＤＭＩ部３７のうち待機状態の各部を停止状態に切り替える。また、レギュレータ２３から供給する電流が閾値電流以下にならない場合には、リモコン受信部３１を待機状態、停止状態の順に切り替える。
【００３４】
（１−１）ＨＤＭＩ部３７を待機状態から停止状態に切り替える。
【００３５】
（１−２）ビデオセレクタ部３６を待機状態から停止状態に切り替える。
【００３６】
（１−３）Ａ／Ｄコンバータ部３５を待機状態から停止状態に切り替える。
【００３７】
（１−４）リモコン受信部３１を動作状態から待機状態に切り替える。
【００３８】
（１−５）リモコン受信部３１を待機状態から停止状態に切り替える。
【００３９】
（２）ＨＤＭＩ機器視聴モードの場合
制御部４３は、レギュレータ２３がチューナー部３３〜ＨＤＭＩ部３７に供給する電流が閾値電流以下になるまで、図５の（２−１）〜（２−５）に示す順番で、処理を行う。すなわち、チューナー部３３〜ＨＤＭＩ部３７の待機状態の各部を停止状態に切り替える。また、レギュレータ２３から供給する電流が閾値電流以下にならない場合には、リモコン受信部３１を待機状態、停止状態の順に切り替える。
【００４０】
（２−１）チューナー部３３を待機状態から停止状態に切り替える。
【００４１】
（２−２）Ａ／Ｄコンバータ部３５を待機状態から停止状態に切り替える。
【００４２】
（２−３）ビデオセレクタ部３６を待機状態から停止状態に切り替える。
【００４３】
（２−４）リモコン受信部３１を動作状態から待機状態に切り替える。
【００４４】
（２−５）リモコン受信部３１を待機状態から停止状態に切り替える。
【００４５】
（３）アナログ機器視聴モードの場合
制御部４３は、レギュレータ２３がチューナー部３３〜ＨＤＭＩ部３７に供給する電流が閾値電流以下になるまで、図５の（３−１）〜（３−４）に示す順番で、処理を行う。すなわち、チューナー部３３〜ＨＤＭＩ部３７の待機状態の各部を停止状態に切り替える。また、レギュレータ２３から供給する電流が閾値電流以下にならない場合には、リモコン受信部３１を待機状態、停止状態の順に切り替える。
【００４６】
（３−１）チューナー部３３を待機状態から停止状態に切り替える。
【００４７】
（３−２）ＨＤＭＩ部３７を待機状態から停止状態に切り替える。
【００４８】
（３−３）リモコン受信部３１を動作状態から待機状態に切り替える。
【００４９】
（３−４）リモコン受信部３１を待機状態から停止状態に切り替える。
【００５０】
なお、この順番は、待機電流の大きさや、別の動作モードに切り替えられる可能性を考慮して、優先順位を決めると良い。すなわち、待機電流が大きい部を停止させる方が早く閾値電流以下にすることができる。
【００５１】
なお、上記の処理に替えて、電流測定部２２で測定した電流と、閾値電流と、の差を制御部４３で演算し、その値に応じて、チューナー部３３〜ＨＤＭＩ部３７の待機状態の複数の部を同時に停止状態に切り替えるようにしても良い。
【００５２】
ステップＳ５において、チューナー部３３〜ＨＤＭＩ部３７のうち状態を切り替え可能な部を全て切り替えていれば（Ｓ５：Ｎ）、チューナー部３３〜ＨＤＭＩ部３７が故障している可能性があるため、装置を停止する旨を、表示部３８及び／または音声出力部３９で報知する（Ｓ７）。そして、終了処理を行う。すなわち、現在の動作モードを記憶部４５に記憶させ、リモコン受信部３１と操作部３２と制御部４３を除く装置全体の動作を停止させる（Ｓ１２）。
【００５３】
ステップＳ４において、電流の測定値が閾値電流以下の場合には、続いて、動作モードの切り替え操作をリモコン受信部３１または操作部３２で受け付けたか否かを確認する（Ｓ８）。
【００５４】
制御部４３は、動作モードの切り替え操作を受け付けた場合には（Ｓ８：Ｙ）、全てのチューナー部３３〜ＨＤＭＩ部３７を待機状態（ＳＴＢ）に切り替えた後（Ｓ９）、記憶部４５が記憶するテーブルに基づいて、選択された動作モードに応じてチューナー部３３〜ＨＤＭＩ部３７を動作状態に切り替える（Ｓ１０）。そして、ステップＳ３以降の処理を行う。
【００５５】
一方、ステップＳ８において、動作モードの切り替えが選択されていない場合には（Ｓ８：Ｎ）、電源スイッチのオフ操作が行われていなければ（Ｓ１１：Ｎ）、ステップＳ３以降の処理を行う。
【００５６】
また、電源スイッチのオフ操作が行われた場合には（Ｓ１１：Ｙ）、終了処理を行う（Ｓ１２）。
【００５７】
次に、図６に示すように、テレビ受像機１のレギュレータ２３に対して、レギュレータ２４（補助レギュレータに相当）を並列接続するように構成しても良い。
【００５８】
このように構成した場合には、電流測定部２２でレギュレータ２３の出力電流とレギュレータ２４の出力電流をセンサ２２Ａとセンサ２２Ｂで測定して、制御部４３に測定結果を出力するように構成すると良い。また、制御部４３が、レギュレータ２３とレギュレータ２４の動作を制御するように構成すると良い。
【００５９】
制御部４３は、レギュレータ２３が供給する電流が予め設定した閾値を超えたことを検出すると、バスライン４０を介してレギュレータ２４を起動して、リモコン受信部３１〜ＨＤＭＩ部３７に対して電流を供給させる。また、レギュレータ２３とレギュレータ２４に制御信号を出力して、出力を調整する。これにより、レギュレータ２３からチューナー部３３〜ＨＤＭＩ部３７へ供給する電流が閾値電流を超えた場合に、レギュレータ２４を起動することで２つのレギュレータで分担できるので、レギュレータ２３が誤って定格電流以上の電流を処理部に供給してしまうのを防止できる。
【００６０】
なお、チューナー部３３〜ＨＤＭＩ部３７のいずれかの部が故障している可能性を考慮して、レギュレータ２３とレギュレータ２４からチューナー部３３〜ＨＤＭＩ部３７に供給する合計電流の上限値を決めておくと良い。そして、電流測定部２２で測定した合計電流が上限値を越えた場合には、テレビ受像機１の動作を停止して、リモコン受信部３１〜ＨＤＭＩ部３７やレギュレータ２３の劣化や破損を防止すると良い。
【符号の説明】
【００６１】
１：テレビ受像機    ２１−電源部    ２２−電流測定部    ２３，２４−レギュレータ    ３０−処理部    ３１−リモコン受信部    ３２−操作部    ３３−チューナー部    ３５−Ａ／Ｄコンバータ部    ３６−ビデオセレクタ部    ３７−ＨＤＭＩ部    ３１Ａ〜３７Ａ−電源制御部    ３８−表示部    ３９−音声出力部    ４１−ＤＳＰ    ４３−制御部（ＣＰＵ）    ４５−記憶部
【図１】
2011003062.tif 000003
【図２】
2011003062.tif 000004
【図３】
2011003062.tif 000005
【図４】
2011003062.tif 000006
【図５】
2011003062.tif 000007
【図６】
2011003062.tif 000008